(57)【要約】【課題】通常のシャットダウン時に離間処理を実施している構成部品に対して、停電で離間処理が実施できなかった場合に、停電から電力供給が復帰するまでの時間に応じて、復帰時の復帰処理動作を変更することで、自動的に画像の劣化を防ぐ必要があった。【解決手段】  画像形成時は互いに圧接させ、停止時には、互いに離間させる複数の構成部品を有し、停電を検知後、停電の情報をメモリに記憶し、停電から復帰した際に、停電していた時間に基づき、構成部品を圧接状態で第２の所定時間の回転駆動を実行させる復帰処理を実行する画像形成装置。【選択図】 図８
2019035785.tif 000002
【特許請求の範囲】
【請求項１】
画像形成時に互いに圧接させる複数の構成部品を有する画像形成装置であって、
停電を検知する検知手段と、
前記検知手段が停電を検知した際に、停電の情報を記憶する記憶手段と、
停電から電力供給が復帰した際に、前記停電の情報から算出される停電していた時間が第１の所定時間未満である場合は所定の立ち上げ処理を実行させ、前記停電していた時間が前記第１の所定時間より長い場合は、前記所定の立ち上げ処理の実行前に前記複数の構成部品を圧接状態で第２の所定時間の回転駆動を実行させる制御手段と、
を有することを特徴とする画像形成装置。
【請求項２】
前記所定の立ち上げ処理は、中間転写ベルト上に濃度補正用のパターンを生成し、センサで読み取ることにより、濃度補正を行うことを含むことを特徴とする請求項１に記載の画像形成装置。
【請求項３】
前記所定の立ち上げ処理は、色ずれ補正用のパターンをセンサで読み取り色ずれ補正を行うことを含むことを特徴とする請求項１又は２に記載の画像形成装置。
【請求項４】
前記停電の情報は、停電したこと及び、停電発生時刻であることを特徴とする請求項１〜３の何れか１項に記載の画像形成装置。
【請求項５】
現在時刻を計時する計時手段を有し、前記制御手段は、前記停電の情報と前記現在時刻とから前記停電していた時間が算出することを特徴とする請求項１〜４のいずれか１項に記載の画像形成装置。
【請求項６】
前記構成部品は、中間転写ベルト、感光体ドラム及び一次転写ローラを含むことを特徴とする請求項１〜５のいずれか１項に記載の画像形成装置。
【請求項７】
前記第２の所定時間が経過した後、前記中間転写ベルトの回転駆動を終了し、前記一次転写ローラのみが、前記中間転写ベルトを介して前記感光体ドラムと接するホームポジション位置へ移動させることを特徴とする請求項６に記載の画像形成装置。
【請求項８】
前記構成部品は、加圧ローラ及び定着ローラを含むことを特徴とする請求項１〜7のいずれか１項に記載の画像形成装置。
【請求項９】
前記第２の所定時間が経過した後、前記加圧ローラ及び前記定着ローラの回転駆動の停止し、離間させることを特徴とする請求項８に記載の画像形成装置。
【請求項１０】
前記停電していた時間は、停電発生時刻と、電力供給が復帰した時刻の差分であることを特徴とする請求項１〜９のいずれか１項に記載の画像形成装置。
【請求項１１】
画像形成時は互いに圧接させ、停止時には、互いに離間させる第１、第２の構成部品を有する、画像形成装置であって、
停電を検知する検知手段と、
前記検知手段が停電を検知した際に、停電の情報を記憶する記憶手段と、
停電から電力供給が復帰した際に、前記停電の情報から算出される停電していた時間が第１の所定時間以上であれば、前記第１の構成部品を圧接状態で第２の所定時間の回転駆動を、
停電していた時間が第３の所定時間以上であれば、前記第２の構成部品を圧接状態で第４の所定時間の回転駆動を実行させる制御手段と、
を有することを特徴とする画像形成装置。
【請求項１２】
前記第１の構成部品は、中間転写ベルト、感光体ドラム及び一次転写ローラであり、
前記第２の構成部品は、加圧ローラ及び定着ローラであることを特徴とする請求項１１に記載の画像形成装置。
【請求項１３】
前記制御手段は、前記第１の構成部品の回転駆動と、前記第２の構成部品の回転駆動を並行して実行させることを特徴とする請求項１１〜１２のいずれか１項に記載の画像形成装置。
【請求項１４】
画像形成時は互いに圧接させ、停止時には、互いに離間させる複数の構成部品と記憶手段とを有する、画像形成装置の制御方法であって、
停電を検知する検知工程と、
前記検知工程で停電を検知した際に、停電の情報を前記記憶手段に記憶させる記憶工程と、
停電から電力供給が復帰した際に、前記停電の情報から算出される停電していた時間が第１の所定時間以上であれば、前記複数の構成部品を圧接状態で第２の所定時間の回転駆動を実行させる制御工程と、
を有することを特徴とする画像形成装置の制御方法。
【請求項１５】
画像形成時は互いに圧接させ、停止時には、互いに離間させる第１、第２の構成部品と記憶手段を有する、画像形成装置の制御方法であって、
停電を検知する検知工程と、
前記検知工程で停電を検知した際に、停電の情報を前記記憶手段に記憶する記憶工程と、
停電から電力供給が復帰した際に、前記停電の情報から算出される停電していた時間が第１の所定時間以上であれば、前記第１の構成部品を圧接状態で第２の所定時間の回転駆動を、
停電していた時間が第３の所定時間以上であれば、前記第２の構成部品を圧接状態で第４の所定時間の回転駆動を実行させる制御工程と、
を有することを特徴とする画像形成装置の制御方法。
【請求項１６】
請求項１４又は１５に記載の画像形成装置の制御方法を、コンピュータに実行させるためのプログラム。
【発明の詳細な説明】
【技術分野】
【０００１】
本発明は、電子写真プロセス方式を用いた複写機或いはプリンター等の画像形成装置の復帰動作、その制御方法及びプログラムに関するものである。
【背景技術】
【０００２】
従来、画像形成装置では、商用電源が停電した後に復旧した場合、ユーザーが操作をすることなく自動的に停電時の電源ＳＷの状態に対応する状態に復旧させるという制御をするものがある。この場合の電源ＳＷには状態を保持できるシーソーＳＷが使用されている。
【０００３】
特許文献1には、定着ローラと加圧ローラの間にオフセット防止液を塗布する画像形成装置において、一定時間画像形成装置が停止していた後、トナーが載っていない紙を、ローラのニップ部に通す技術が開示されている。これにより、動作再開時にオフセット防止液が紙に付着することを防ぐことができる。
特許文献2には、画像形成装置が停止している時間が長い場合に、像担持体に接触している画像形成手段を離間させるものが開示されている。
【先行技術文献】
【特許文献】
【０００４】
【特許文献１】特開平5-72842号公報
【特許文献２】特開2002-149032号公報
【発明の概要】
【発明が解決しようとする課題】
【０００５】
特許文献１、２に記載の画像形成装置は、本体が停止している時間が長い場合に、次回の画像形成に支障が出ないように処理を実行するものである。しかしながら、予期しない停電等による電源OFFの状態が長時間続いた場合の対処について、上記画像形成装置は、想定していない。
特許文献１に記載の画像形成装置は、オフセット防止液が紙に付着しないように一度紙を通すもので、余計な紙が必要となる。さらに、停電など、不意に電源が遮断されて、定着ローラと加圧ローラ、一次転写ローラと感光体ドラムなどが圧着していた状態で長時間が経過した場合に、正常復帰させる手段についても開示がない。
また、停電後にシーソーＳＷの状態に復帰させる従来技術の構成では、停電が発生していたことがわからないため、どれぐらいの時間電源が遮断されていたか分からなかった。
【課題を解決するための手段】
【０００６】
上記課題を解決するために、本発明の画像形成装置は、以下の構成を有する。
画像形成時は互いに圧接させ、停止時には、互いに離間させる複数の構成部品を有する、画像形成装置であって、停電を検知する検知手段と、停電の情報を記憶する記憶手段と、停電から電力供給が復帰した際に、停電していた時間が第１の所定時間以上であれば、前記複数の構成部品を圧接状態で第２の所定時間の回転駆動を実行させる制御手段と、を有することを特徴とする。
【発明の効果】
【０００７】
通常のシャットダウン時に離間処理を実施している構成部品に対して、停電で離間処理が実施できなかった場合に、停電から電力供給が復帰するまでの時間に応じて、復帰時の復帰処理動作を変更することで、自動的に画像の劣化を防ぐことができる。
【図面の簡単な説明】
【０００８】
【図１】本発明の実施例に係る画像形成装置の構成を示す断面図
【図２】本発明の実施例に係る一次転写ローラの離間動作を示す図
【図３】本発明の実施例に係る加圧ローラの離間動作を示す図
【図４】本発明の実施例に係る停電時の状態と復帰状態の対応表
【図５】本発明の実施例に係る制御ブロック図
【図６】本発明の実施例に係るタイミングチャートを示す図
【図７】本発明の実施例に係るフローチャートを示す図
【図８】本発明の実施例に係るフローチャートを示す図
【発明を実施するための形態】
【実施例１】
【０００９】
[画像形成装置の構成]
以下、本発明を実施するための形態について図面を用いて説明する。
まず、複数の構成部品からなる画像形成装置100の構成を説明する。図１は画像形成装置100の基本構成を例示した断面図であり、ユーザーが操作をするためのユーザーインターフェース(ＵＩ)126を備えている。ここでは、現像装置に補給する現像剤（以下「トナー」という。）を収容したトナー収容容器が着脱可能な電子写真方式のフルカラーの画像形成装置100を例示している。
【００１０】
画像形成装置100は、一定の間隔をおいて略水平な一直線上に配置されたプロセスカートリッジ103Y，103M，103C，103Kを着脱可能に備えており、それぞれイエロー(Y)、マゼンタ(M)、シアン(C)、ブラック(K)の画像を形成する。
各プロセスカートリッジ103には、それぞれ像担持体としてのドラム型の電子写真感光体（以下「感光体ドラム」という。）104が設置されている。感光体ドラム104の周囲には、一次帯電器109、現像手段105、ドラムクリーナ装置112がそれぞれ配置されている。さらに、中間転写ベルト101を介して各感光体ドラム104の対向位置には、一次転写ローラ114がそれぞれ配置されている。更に、一次帯電器109と現像手段105との間の下方には、レーザー露光装置108が設置されている。
【００１１】
感光体ドラム104は、負帯電のＯＰＣ感光体でアルミニウム製のドラム基体上に光導電層を有しており、駆動装置(不図示)によって所定のプロセススピードで回転駆動される。
一次帯電手段としての一次帯電器109は、帯電バイアス電源(不図示)から印加される帯電バイアス電圧によって感光体ドラム104の表面を負極性の所定電位に均一に帯電する。
【００１２】
現像手段105は、トナー(現像剤)を内蔵し、それぞれ各感光体ドラム104上に形成される各静電潜像に各色のトナーを付着させてトナー像として現像(可視像化)する。
一次転写手段としての一次転写ローラ114は、感光体ドラム104に対向するように中間転写ベルトユニット115内に配設され、感光体ドラム104に向けて付勢されるよう配置されている。
ドラムクリーナ装置112は、一次転写時に感光体ドラム104上に残留した転写残トナーを感光体ドラム104から除去するためのクリーニング手段であり、クリーニングブレード等を有している。
【００１３】
中間転写ベルトユニット115は、二次転写対向ローラを兼ねる駆動ローラ116と、図示しない駆動ローラ軸上のギアを備え、同じく図示しない本体上の駆動ギアにより回転駆動される。駆動ローラ116は、中間転写ベルト101を介して二次転写ローラ117と対向するよう配置されている。
また、二次転写ローラ117の、記録媒体Pの搬送方向下流側には、定着ローラ118と加圧ローラ119を有する定着装置150が縦パス構成で設置されている。
【００１４】
レーザー露光装置108は、与えられる画像情報の時系列電気デジタル画素信号に対応した発光を行うレーザー発光手段で構成されている。レーザー露光装置108は、各感光体ドラム104に露光を行うことによって、各一次帯電器109で帯電された各感光体ドラム104の表面に画像情報に応じた各色の静電潜像を形成する。
【００１５】
[画像形成装置の動作]
次に、上記した画像形成装置100による画像形成動作について説明する。
原稿読取装置120で原稿を読み取り、画像形成開始信号が発せられると、各プロセスカートリッジ103の各感光体ドラム104は、所定のプロセススピードで回転駆動され、それぞれ一次帯電器109によって一様に負極性に帯電される。そして、レーザー露光装置108は、外部から入力されるカラー色分解された画像信号をレーザー発光素子から照射し、各感光体ドラム104上に各色の静電潜像を形成する。
そして、まず感光体ドラム104上に形成された静電潜像に、感光体ドラム104の帯電極性(負極性)と同極性の現像バイアスが印加された現像手段105により、各色のトナーを付着させてトナー像として可視像化する。このトナー像は、感光体ドラム104と一次転写バイアス(トナーと逆極性(正極性))が印加された一次転写ローラ114により、駆動されている中間転写ベルト101に一次転写される。
【００１６】
以下、同様にして、中間転写ベルト101でイエロー、マゼンタ、シアン、ブラックの各トナー像を順次重ね合わせ、フルカラーのトナー像を中間転写ベルト101に形成する。
なお、各感光体ドラム104上に残留した転写残トナーは、各ドラムクリーナ装置112に設けられたクリーナブレード等により掻き落とされ、回収される。
【００１７】
そして、中間転写ベルト101上のフルカラートナー像が、転写駆動ローラ(二次転写対向ローラ)116と二次転写ローラ117間の二次転写部に移動される。このトナー像の先端が二次転写部に移動されるタイミングに合わせて、給紙カセット121又は手差しトレイ122から給送される用紙等の記録媒体Pが、略垂直に形成された搬送パスを通り、レジストローラ123により二次転写部に搬送される。二次転写部に搬送された記録媒体Pに、二次転写バイアス(トナーと逆極性(正極性))が印加された二次転写ローラ117により、フルカラーのトナー像が一括して二次転写される。
【００１８】
この際、二次転写時に中間転写ベルト101上に残留した残留トナーは、転写クリーニング装置107で掻き落とされ、廃トナーとして搬送・回収される。
フルカラーのトナー像が形成された記録媒体Pは、下流に位置する定着装置150に搬送され、定着ローラ118と加圧ローラ119との間の定着ニップ部でフルカラーのトナー像が加熱、加圧されて記録媒体Pの表面に熱定着される。その後、記録媒体Pは、第一の排出ローラ124によって本体上面の排出トレイ125上に排出されて、一連の画像形成動作を終了する。
【００１９】
[一次転写ローラと感光体ドラムの離間]
図２を用いて、中間転写ベルト101内部に配置される一次転写ローラ114の動きに関して説明する。通常の画像形成時において、一次転写ローラ114は中間転写ベルト101を介して感光体ドラム104と接している(図２a)。このように接している状態で、感光体ドラム104や中間転写ベルト101を交換のために引き抜くと、それぞれが互いにこすれあい、表面に傷がつき、画像不良の原因となる場合がある。
【００２０】
それを回避するために、所定のタイミング、例えばドアが開いたタイミングで中間転写ベルト101を吊架している吊架ローラ127及び、一次転写ローラ114を感光体ドラム104から離間させる(図２b)。こうすることで、感光体ドラム104や中間転写ベルト101の表面に互いに傷がつくことなく、交換することが可能となる。また、一次転写ローラ114が中間転写ベルト101を介して感光体ドラム104と接している時は、中間転写ベルト101が所定のテンションでそれぞれのローラで吊架されている。この状態で停止し続けると、中間転写ベルト101に巻癖がつき、中間転写ベルト101表面に形成した濃度検出用パターンを読み取る際に、センサとの距離の誤差が大きくなり、濃度の調整がうまくいかなくなるといった支障が生じる可能性がある。
【００２１】
そのために、停止時間が続く画像形成装置100のシャットオフのタイミング等では、中間転写ベルト101を吊架している吊架ローラ127及び一次転写ローラ114を感光体ドラム104から離間させ(図２b）、テンションがかかっていない状態にしている。一次転写ローラ114及び吊架ローラ127を離間させる動作は、例えばモータを用いてそれぞれのローラを支持している部材を動かすことで実現可能である。
【００２２】
次に図３を用いて、定着器150内の定着ローラ118と加圧ローラ119の加圧及び離間の動作について説明する。通常の画像形成時において、定着ローラ118に対して、加圧ローラ119は所定の圧力をもって接している(図３a)。このとき、図３aに示すように定着ローラ118はアルファベットのＣのように変形した状態となっており、この状態が所定時間以上続くと変形した状態から戻らなくなってしまい、画像不良の原因となる可能性がでてくる。このような加圧状態が続き、定着ローラ118が変形することを回避するため、図３bのように、加圧ローラ119を定着ローラ118から離間させることができるようになっている。
【００２３】
こうすることで、定着ローラ118の変形を抑制し、画像不良を防止することができる。なお、加圧ローラ119の離間動作は、例えばモータを用いて加圧ローラ119の支持部材を動かすことで実現可能である。また、離間動作させるのは加圧ローラ119ではなく、定着ローラ118でも同様の効果が得られる。また、定着ローラ118と加圧ローラ119を離間させることにより、紙詰まりの際に前記ローラ間に挟まった紙を除去しやすくするためという利点もある。
【００２４】
図４は画像形成装置100への商用電源からの電力供給が停止した時の状態と、その後電力供給が復旧した際に画像形成装置を移行させる状態との対応関係を示した表である。これはユーザーの操作を介することなく自動的に行う処理である。ここでは、停電が発生した場合を想定している。画像形成装置100が電源OFFの状態の時に停電が発生した場合、電力供給が復帰した時でも、電源OFFの状態になる。画像形成装置100が電源ONの状態で、例えばスタンバイ中に停電が発生した場合、復帰時はスタンバイ状態になる。また、プリント中やスリープ中に停電が発生した場合も、復帰時はスタンバイ状態に移行する。このように、基本的には停電時の状態に復帰させるが、電源ON時はスタンバイ状態に戻るという動作になっている。
【００２５】
次に、本実施例に係る画像形成装置の制御に関して、図５のブロック図を用いて説明する。画像形成装置100を制御する制御基板200には商用電源から電源300で生成されたＤＣ電源が供給されている。制御基板200にはＣＰＵ201がありＲＯＭ206、ＲＡＭ207、ＥＥＰＲＯＭ208が接続されている。ＣＰＵ201からの信号によってＡＳＩＣ202から、定着ローラ118と加圧ローラ119の加圧・離間を行う定着着脱機構213や、一次転写ローラ114の加圧・離間が行う一転着脱機構214を駆動させる命令が発行される。電源300から供給される入力部分に停電検知部203があるが、ここでは少なくとも商用電源から制御基板200へ供給される電力の入力電圧を検知し、停電を検知している。ＲＴＣ204へは電源300からの電力供給が無くなった場合でも動作可能にするために電池209からも電力供給されており、現在時刻を計時する機能を有している。
【００２６】
[停電検知の動作]
ここで、停電検知の具体的な動作について説明する。電源300から制御基板200への入力は必ずしも一つの系統ではないが、商用電源からの供給に連動する電源系統、例えば常夜電源の出力に対して停電検知部203を接続する。本実施例では、常夜電源の出力は12[V]であるため、制御基板200に入力される常夜電源12[V]が、閾値電圧10[V]程度に低下したことを検知できるように設定している。
【００２７】
この閾値電圧は、常夜電源12[V]で駆動されるデバイスに支障が発生する前に検出することを目的として定めている。具体的には、常夜電源12[V]が供給されるDC/DCコンバータの低電圧誤動作防止機能が7.5[V]で動作する場合に、それ以上の電圧で検出できるように例えば10[V]という設定値にしている。この閾値電圧は、当然ながら画像形成装置が正常な動作をしており、商用電源が正常に供給されている状態では検出されない電圧であることが必要である。
【００２８】
停電検知部203はこのようにして電圧の低下を検知すると、停電が発生したと判断し、停電発生フラグをＥＥＰＲＯＭ208に書き込むと同時に、ＲＴＣ204の日時の情報を合わせて書き込む。その後、停電から復帰した際に、ＥＥＰＲＯＭ208に記憶されている停電が発生した日時の情報と、新たにＲＴＣ204から取得する日時の情報の差分をとることにより、停電が発生していた時間の長さを算出することができる。この時間の長さによって、後述するように復帰時のリカバリー動作を最適に制御し、画像の劣化を防ぐことができる。
【００２９】
図６はこの時の動きをタイミングチャートで表したものである。常夜電源12[V]が閾値電圧（Vth）10[V]を下回ると、停電検知部203は停電が発生したと判断し、停電検知フラグを立て、そのフラグの情報をＥＥＰＲＯＭ208に書き込む。この時、電圧は低下し続けているが、書き込みに必要な電圧を下回るまでには書き込みは終了している。
【００３０】
次に、前述した停止している時間に応じたリカバリーの内容について説明する。停電から復帰した際に、一次転写ローラ114が中間転写ベルト101を介して感光体ドラム104と接している状態の場合は、停電で停止していた時間が所定時間、例えば4時間(T1)を経過していたかどうか確認する。そこで4時間(T1)以下だった場合、特に中間転写ベルト101に巻癖などのダメージが無いと判断し、通常の立ち上げ処理を実施し、スタンバイ状態へ移行する。
【００３１】
この場合の通常の立ち上げ処理というのは、中間転写ベルト101上に濃度補正用のパターンを生成して、それを光学式センサ(不図示)で読み取ることによって、濃度補正を実施する制御などがある。その外、立ち上げ処理として、色ずれ補正用のパターンを光学式センサ(不図示)で読み取って各色間の位置ずれを補正する制御などもある。
停止時間が4時間(T1)を超える場合、中間転写ベルト101にダメージがあると判断し、通常の立ち上げ処理の前に例えば30秒間中間転写ベルト101を回転駆動させる。こうすることで、中間転写ベルト101の巻癖が取れた状態で、濃度補正制御や色ずれ補正制御などの立ち上げ処理が実施できるため、画質の低下を抑えることができる。
【００３２】
また、同様に停電から復帰した際に、定着ローラ118と加圧ローラ119が、加圧状態で接していた場合、停電時の停止時間が例えば8時間(T2)以内であれば、定着ローラ118と加圧ローラ119を離間する動作を実行してスタンバイ状態へ移行する。
停電で停止していた時間が8時間(T2)を超える場合、定着ローラ118にダメージがあると判断する。そして、通常の立ち上げ処理では特に動作はさせないが、ここでは所定時間(例えば数分)定着ローラ118と加圧ローラ119を回転させることで、停電前の定着ローラ118の状態に近づけて、画質の低下を抑えることができる。所定時間回転させた後は、定着ローラ118と加圧ローラ119を離間状態にしてからスタンバイ状態に移行する。なお、所定時間回転させている間は、定着器以外の部分に関する立ち上げ処理も並行して実施することにより、立ち上げ処理の時間を短縮することができる。
【００３３】
次に、本発明の画像形成装置の停電時の制御、停電状態からの復帰制御に関して、図７、図８のフローチャートを用いて説明する。なお、以下の処理は、制御基板200上のＣＰＵ201がＲＯＭ206に格納されたプログラムを、ＲＡＭ207に展開し、実行することにより実現される。
図７は停電発生時の制御を示すフローチャートである。停電が発生すると(S101)、停電検知部203で前述したように停電を検知し(S102)、停電発生フラグをＥＥＰＲＯＭ208に立てる。このとき、停電が発生した時刻t1も同時にＥＥＰＲＯＭ208に保存する(S103)。ここまでの制御を電力供給が停止するまで(S104)の間に実行する。
【００３４】
図８は停電から復帰する際の制御を示すフローチャートである。電力の供給が再開されると(S201)、まず停電発生フラグが立っているかどうかＥＥＰＲＯＭ208のデータを確認する(S202)。
停電発生フラグが立っていない場合（S202でNo）、停電は発生しておらず、正常にシャットダウンが行われたと判断し、通常の立ち上げ処理を実行した後(S213)、スタンバイ状態へ移行して(S214)、シーケンスを終了する(S215)。この時の、通常の立ち上げ処理は前述したような、濃度補正制御や色ずれ補正制御といった処理のことである。
一方、S202で停電発生フラグが立っていた場合（S202でYes）、ＲＴＣ204によって得られる現在時刻t2と停電発生時刻t1から、停電していた時間Δt=t2-t1を算出する(S203)。
【００３５】
次に、S204にて一次転写ローラ114は中間転写ベルト101を介して感光体ドラム104と接しているかどうかの判断をする。接していた場合（S204でYes）、S205に進み、停電していた時間Δtが所定時間T1より大きいかどうかの判断をする。前述した例ではT1は4時間としており、この値は予め検討データを元に決定されるものである。ΔtがT1より大きい場合、一次転写ローラ114が中間転写ベルト101を介して感光体ドラム104と接している状態で中間転写ベルト101及び感光体ドラム104を回転駆動させる（S206）。一次転写ローラ114も回転しているが、中間転写ベルト101の内側との摩擦により従動して回転する構成としてもよい。
続いて、S207へ移行する。また、S204で圧接状態ではなかった場合（S204でNo）、S205でΔtがT1以下だった場合（S205でNo）も同様に、S207へ移行する。
【００３６】
続いてS207で、回転開始後、定着ローラ118と加圧ローラ119が圧接状態かどうかを判断する。定着ローラ118と加圧ローラ119が圧接状態であった場合（S207でYes）、S208で停電していた時間Δtが所定時間T2より大きいかどうかの判断をする。前述した例ではT2は8時間としており、この値は予め検討データを元に決定されるものである。ΔtがT2より大きい場合（S208でYes）は、定着ローラ118と加圧ローラ119を回転駆動させる(S209)。
続いて、S210へ移行する。また、S207で定着ローラ118と加圧ローラ119が圧接状態でなかった場合（S207でNo）、S208でΔtがT2以下だった場合（S208でNo）もS210へ移行する。
【００３７】
S210では、S206で中間転写ベルト101を回転駆動させていた場合、所定時間(例えば30秒)経過した段階で中間転写ベルト101の回転を終了し、一次転写ローラ114をホームポジション位置へ移動させる(S211)。ここにおける、ホームポジション位置は、例えばBkの一次転写ローラ114のみ中間転写ベルト101を介して感光体ドラム104と接している状態である。また、画像形成装置100の使い勝手に応じて、4色とも接した状態をホームポジションとしてもよいし、4色とも離間させた状態をホームポジションとしてもよい。
【００３８】
S211で一次転写ローラ114をホームポジション位置へ移動させた後、S209で定着ローラ118と加圧ローラ119を回転させていた場合は、所定時間(例えば数分)経過した段階で、それらを停止させ、離間させる(S212)。その後、S213で通常の立ち上げ処理を実行して、それが終了するとスタンバイ状態へ移行し(S214)、シーケンスを終了する(S215)。なお、定着ローラ118と加圧ローラ119の回転終了をする前に通常の立ち上げ処理を実行してもよく、こうすることでスタンバイ状態へ移行するまでの時間を短縮することができる。
【００３９】
以上、本発明によれば、通常のシャットダウン時に離間処理を実施している一次転写ローラや、定着ローラなどに対して、停電のため離間処理が実施できなかった場合に、復帰時に適切な処理動作を行うことができ、自動的に画像の劣化を防ぐことができる。
【００４０】
(その他の実施例)
本発明は、上述の実施形態の1以上の機能を実現するプログラムを、ネットワーク又は記憶媒体を介してシステム又は装置に供給し、そのシステム又は装置のコンピュータにおける1つ以上のプロセッサーがプログラムを読出し実行する処理でも実現可能である。また、1以上の機能を実現する回路(例えば、ＡＳＩＣ)によっても実現可能である。
【符号の説明】
【００４１】
101中間転写ベルト
104感光体ドラム
114一次転写ローラ
118定着ローラ
119加圧ローラ
【図１】
2019035785.tif 000003
【図２】
2019035785.tif 000004
【図３】
2019035785.tif 000005
【図４】
2019035785.tif 000006
【図５】
2019035785.tif 000007
【図６】
2019035785.tif 000008
【図７】
2019035785.tif 000009
【図８】
2019035785.tif 000010